(57)【要約】【課題】本発明は原稿のマーカー部分の画像を用紙サイズに合わせて拡大・縮小し、また、マーカー部分画像サイズに適した用紙を自動選択して記録出力する画像形成装置を提供する。【解決手段】デジタル複写装置１は、原稿にマーカー指定されたマーカー部分画像をマーカー部分検知部７ａで検出して、マーカー部分画像を原稿の画像データを記録する原稿画像記憶部４３から抽出してマーカー部分画像記憶部４４に記憶し、マーカー部分画像を記録用の転写紙が操作表示部１１で選択されると、システム制御部４１が、当該選択された用紙サイズに合わせて画像処理部４２にマーカー部分画像を拡大・縮小させて作像部４４に当該用紙サイズの転写紙に記録出力させる用紙指定変倍処理を行い、または、マーカー部分画像に適したサイズの転写紙を自動選択して記録出力する。【選択図】          図５
2004221898.tif 000002
【特許請求の範囲】
【請求項１】
原稿の画像を読取手段で読み取り、当該読み取った原稿の画像を一旦画像記憶手段に記憶した後、画像記録手段で用紙に記録出力する画像形成装置において、前記原稿に特定のマーカーで指定されたマーカー部分画像を検出するマーカー部分検出手段と、前記画像記憶手段に記憶された前記原稿の画像データのうち当該マーカー部分検出手段で検出された原稿のマーカー部分画像データを記憶するマーカー部分画像記憶手段と、当該マーカー部分画像記憶手段に記憶されているマーカー部分画像データを拡大・縮小する画像処理手段と、前記マーカー部分画像を前記画像記録手段で記録出力する用紙のサイズを選択する用紙選択手段と、前記マーカー部分検出手段に前記原稿のマーカー部分画像を検出させて当該検出されたマーカー部分画像を前記用紙選択手段で選択された用紙サイズに合わせて前記画像処理手段に拡大・縮小させて前記画像記録手段に当該用紙サイズの用紙に記録出力させる用紙指定変倍処理を制御する制御手段と、を備えていることを特徴とする画像形成装置。
【請求項２】
前記画像形成装置は、前記マーカー部分画像の拡大・縮小の変倍率を当該マーカー部分画像の主走査方向と副走査方向のいずれを基準とするかを設定する変倍率基準設定手段をさらに備え、前記画像処理手段は、当該変倍率基準設定手段による設定変倍率基準に基づいて前記マーカー部分画像の拡大・縮小を行うことを特徴とする請求項１記載の画像形成装置。
【請求項３】
原稿の画像を読取手段で読み取り、当該読み取った原稿の画像を一旦画像記憶手段に記憶した後、画像記録手段で用紙に記録出力する画像形成装置において、前記原稿に特定のマーカーで指定されたマーカー部分画像を検出するマーカー部分検出手段と、前記画像記憶手段に記憶された前記原稿の画像データのうち当該マーカー部分検出手段で検出された原稿のマーカー部分画像データを記憶するマーカー部分画像記憶手段と、複数種類のサイズの用紙から適宜のサイズの用紙を選択する自動用紙選択手段と、前記マーカー部分検出手段に前記原稿のマーカー部分画像を検出させて当該検出されたマーカー部分画像の画像サイズに適した用紙を前記自動用紙選択手段に選択させて前記画像記録手段に当該選択された用紙に当該マーカー部分画像を記録出力させる自動用紙選択処理を制御する制御手段と、を備えていることを特徴とする画像形成装置。
【請求項４】
前記画像形成装置は、前記用紙指定変倍処理または前記自動用紙選択処理を行うか否かを設定する処理設定手段をさらに備え、前記制御手段は、当該処理設定手段の設定に応じて、前記用紙指定変倍処理または前記自動用紙選択処理の実行を制御することを特徴とする請求項１から請求項３のいずれかに記載の画像形成装置。
【発明の詳細な説明】
【０００１】
【発明の属する技術分野】
本発明は、画像形成装置に関し、詳細には、原稿のマーカー部分の画像を用紙サイズに合わせて拡大・縮小し、また、当該マーカー部分画像サイズに適した用紙を選択して、記録出力する画像形成装置に関する。
【０００２】
【従来の技術】
【特許文献１】
特開平１１−１９６２６０号公報
【特許文献２】
特開平５−２１６３１５号公報
従来から、原稿に付与したマークに基づいて当該原稿を読み取った画像データに対して各種処理を行う画像形成装置が提案されている。
【０００３】
例えば、従来、複数枚の原稿の画像データを記憶手段に記憶するとともに、当該原稿に所定色でマーキングされたマーカー情報の領域を検出して、当該マーカー情報の検出された複数枚のマーカー情報の付与された領域の原稿の画像データを１枚の記録紙に記録出力する画像形成装置が提案されている（特許文献１参照）。
【０００４】
また、従来、原稿に所定色でマーキングされたマーカー情報の位置及び色を検出し、当該検出したマーカー情報の色に応じて原稿の画像に付加する付加情報を決定して、当該検出したマーカー情報の位置に応じて当該原稿の画像に上記決定した付加情報の付加位置を決定する画像形成装置が提案されている（特許文献２参照）。
【０００５】
【発明が解決しようとする課題】
しかしながら、このような従来技術にあっては、複数枚の原稿のマーカー部分の画像を１枚の記録紙に記録出力し、また、特定の画像をマーカー位置に付加しているため、原稿の必要な部分のみを１枚の用紙に適切に抽出して記録することができず、利用性が悪いという問題があった。
【０００６】
そこで、請求項１記載の発明は、原稿に特定のマーカーで指定されたマーカー部分画像をマーカー部分検出手段で検出して、当該マーカー部分画像を原稿の画像データを記録する画像記憶手段から抽出してマーカー部分画像記憶手段に記憶し、マーカー部分画像を記録出力する用紙のサイズが用紙選択手段で選択されると、制御手段が、当該選択された用紙サイズに合わせて画像処理手段にマーカー部分画像記憶手段に記憶されているマーカー部分画像を拡大・縮小させて画像記録手段に当該用紙サイズの用紙に記録出力させる用紙指定変倍処理を行うことにより、原稿のマーカー部分画像を当該画像を記録する用紙のサイズに合わせて拡大・縮小し、ユーザが望む大きさで、マーカー部分画像を記録して、利用性の良好な画像形成装置を提供することを目的としている。
【０００７】
請求項２記載の発明は、マーカー部分画像の拡大・縮小の変倍率を当該マーカー部分画像の主走査方向と副走査方向のいずれを基準とするかを設定する変倍率基準設定手段で設定された設定変倍率基準に基づいて、画像処理手段が、マーカー部分画像の拡大・縮小を行うことにより、ユーザがマーカー部分画像の拡大・縮小の基準を選択できるようにしてユーザの選択範囲を広げ、より一層ユーザが望む大きさで、マーカー部分画像を記録して、より一層利用性の良好な画像形成装置を提供することを目的としている。
【０００８】
請求項３記載の発明は、原稿に特定のマーカーで指定されたマーカー部分画像をマーカー部分検出手段で検出して、当該マーカー部分画像を原稿の画像データを記録する画像記憶手段から抽出してマーカー部分画像記憶手段に記憶すると、制御手段が、当該マーカー部分画像の画像サイズに適した用紙を自動用紙選択手段に選択させて画像記録手段に当該選択された用紙に当該マーカー部分画像を記録出力させる自動用紙選択処理を行うことにより、マーカー部分画像の大きさに最も適した用紙を自動的に選択して、ユーザが用紙を選択する手間を省くとともに、ユーザが不適切な用紙を選択することを防止し、利用性の良好な画像形成装置を提供することを目的としている。
【０００９】
請求項４記載の発明は、用紙指定変倍処理または自動用紙選択処理を行うか否かを設定する処理設定手段の設定に応じて、制御手段が、用紙指定変倍処理または自動用紙選択処理の実行を制御することにより、ユーザの選択範囲を広げ、より一層ユーザの望む画像を得られるようにして、より一層利用性の良好な画像形成装置を提供することを目的としている。
【００１０】
【課題を解決するための手段】
請求項１記載の発明の画像形成装置は、原稿の画像を読取手段で読み取り、当該読み取った原稿の画像を一旦画像記憶手段に記憶した後、画像記録手段で用紙に記録出力する画像形成装置において、前記原稿に特定のマーカーで指定されたマーカー部分画像を検出するマーカー部分検出手段と、前記画像記憶手段に記憶された前記原稿の画像データのうち当該マーカー部分検出手段で検出された原稿のマーカー部分画像データを記憶するマーカー部分画像記憶手段と、当該マーカー部分画像記憶手段に記憶されているマーカー部分画像データを拡大・縮小する画像処理手段と、前記マーカー部分画像を前記画像記録手段で記録出力する用紙のサイズを選択する用紙選択手段と、前記マーカー部分検出手段に前記原稿のマーカー部分画像を検出させて当該検出されたマーカー部分画像を前記用紙選択手段で選択された用紙サイズに合わせて前記画像処理手段に拡大・縮小させて前記画像記録手段に当該用紙サイズの用紙に記録出力させる用紙指定変倍処理を制御する制御手段と、を備えていることにより、上記目的を達成している。
【００１１】
上記構成によれば、原稿に特定のマーカーで指定されたマーカー部分画像をマーカー部分検出手段で検出して、当該マーカー部分画像を原稿の画像データを記録する画像記憶手段から抽出してマーカー部分画像記憶手段に記憶し、マーカー部分画像を記録出力する用紙のサイズが用紙選択手段で選択されると、制御手段が、当該選択された用紙サイズに合わせて画像処理手段にマーカー部分画像記憶手段に記憶されているマーカー部分画像を拡大・縮小させて画像記録手段に当該用紙サイズの用紙に記録出力させる用紙指定変倍処理を行うので、原稿のマーカー部分画像を当該画像を記録する用紙のサイズに合わせて拡大・縮小することができ、ユーザが望む大きさで、マーカー部分画像を記録して、画像形成装置の利用性を向上させることができる。
【００１２】
この場合、例えば、請求項２に記載するように、前記画像形成装置は、前記マーカー部分画像の拡大・縮小の変倍率を当該マーカー部分画像の主走査方向と副走査方向のいずれを基準とするかを設定する変倍率基準設定手段をさらに備え、前記画像処理手段は、当該変倍率基準設定手段による設定変倍率基準に基づいて前記マーカー部分画像の拡大・縮小を行うものであってもよい。
【００１３】
上記構成によれば、マーカー部分画像の拡大・縮小の変倍率を当該マーカー部分画像の主走査方向と副走査方向のいずれを基準とするかを設定する変倍率基準設定手段で設定された設定変倍率基準に基づいて、画像処理手段が、マーカー部分画像の拡大・縮小を行うので、ユーザがマーカー部分画像の拡大・縮小の基準を選択できるようにしてユーザの選択範囲を広げることができ、より一層ユーザが望む大きさで、マーカー部分画像を記録して、画像形成装置の利用性をより一層向上させることができる。
【００１４】
請求項３記載の発明の画像形成装置は、原稿の画像を読取手段で読み取り、当該読み取った原稿の画像を一旦画像記憶手段に記憶した後、画像記録手段で用紙に記録出力する画像形成装置において、前記原稿に特定のマーカーで指定されたマーカー部分画像を検出するマーカー部分検出手段と、前記画像記憶手段に記憶された前記原稿の画像データのうち当該マーカー部分検出手段で検出された原稿のマーカー部分画像データを記憶するマーカー部分画像記憶手段と、複数種類のサイズの用紙から適宜のサイズの用紙を選択する自動用紙選択手段と、前記マーカー部分検出手段に前記原稿のマーカー部分画像を検出させて当該検出されたマーカー部分画像の画像サイズに適した用紙を前記自動用紙選択手段に選択させて前記画像記録手段に当該選択された用紙に当該マーカー部分画像を記録出力させる自動用紙選択処理を制御する制御手段と、を備えていることにより、上記目的を達成している。
【００１５】
上記構成によれば、原稿に特定のマーカーで指定されたマーカー部分画像をマーカー部分検出手段で検出して、当該マーカー部分画像を原稿の画像データを記録する画像記憶手段から抽出してマーカー部分画像記憶手段に記憶すると、制御手段が、当該マーカー部分画像の画像サイズに適した用紙を自動用紙選択手段に選択させて画像記録手段に当該選択された用紙に当該マーカー部分画像を記録出力させる自動用紙選択処理を行うので、マーカー部分画像の大きさに最も適した用紙を自動的に選択して、ユーザが用紙を選択する手間を省くことができるとともに、ユーザが不適切な用紙を選択することを防止することができ、画像形成装置の利用性を向上させることができる。
【００１６】
上記各場合において、例えば、請求項４に記載するように、前記画像形成装置は、前記用紙指定変倍処理または前記自動用紙選択処理を行うか否かを設定する処理設定手段をさらに備え、前記制御手段は、当該処理設定手段の設定に応じて、前記用紙指定変倍処理または前記自動用紙選択処理の実行を制御するものであってもよい。
【００１７】
上記構成によれば、用紙指定変倍処理または自動用紙選択処理を行うか否かを設定する処理設定手段の設定に応じて、制御手段が、用紙指定変倍処理または自動用紙選択処理の実行を制御するので、ユーザの選択範囲を広げることができ、より一層ユーザの望む画像を得られるようにして、画像形成装置の利用性をより一層向上させることができる。
【００１８】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１９】
図１〜図７は、本発明の画像形成装置の一実施の形態を示す図であり、図１は、本発明の画像形成装置の一実施の形態を適用したデジタル複写装置１の全体概略構成図である。
【００２０】
図１において、デジタル複写装置（画像形成装置）１は、本体筐体２内に、給紙部３、作像部４、定着部５、原稿給紙部６及び読取部７を備えているとともに、本体筐体２の中間の側部に排紙部８が設けられ、本体筐体２の上部に原稿台９と原稿排紙部１０が設けられている。また、デジタル複写装置１は、本体筐体２の上部に、操作表示部１１が設けられている。
【００２１】
給紙部３は、ロール転写紙２１を収納する第１収納部２２、カット転写紙２３を収納する第２収納部２４及び転写紙２１、２３を作像部４に搬送する給紙機構２５等を備えており、操作表示部１１で選択、または、後述するシステム制御部４１（図５参照）で選択された転写紙２１、２３を給紙機構２５で作像部４に搬送する。
【００２２】
なお、デジタル複写装置１は、手差し給紙部１２が設けられており、手差し給紙部１２にセットされた転写紙２６を、給紙機構２５が作像部４に搬送する。
【００２３】
まｔ、第１収納部２２、第２収納部２４及び手差し給紙部１２には、各種サイズの転写紙２１、２３、２６が収納またはセット可能である。
【００２４】
作像部４は、後述する読取部７の読み取った原稿Ｇの画像データに基づいて、電子写真方式により、給紙部３または手差し給紙部１２から搬送されてきた転写紙２１、２３にトナーを付着させてトナー画像を形成し、トナー画像を形成した転写紙２１、２３を定着部５に搬送する。
【００２５】
すなわち、作像部４は、感光体、除電部、帯電部、光書込部、現像部、転写部、クリーニング部等を備え、除電部で除電して帯電部で一様に帯電した感光体に、読取部７で読み取った原稿Ｇの画像データに基づいて変調したレーザ光を光書込部が照射することで静電潜像を形成して、静電潜像の形成された感光体に現像部がトナーを付着させてトナー画像を形成する。作像部４は、感光体上に形成したトナー画像を、給紙部３から搬送されてきた転写紙２１、２３、２６に転写部で転写し、転写の完了した転写紙２１、２３、２６を定着部５に搬送する。また、作像部４は、転写の完了した感光体上の残留トナーをクリーニング部でクリーニングし、清浄にクリーニングされた感光体を除電部で除電した後、帯電部で一様に帯電させて、再度作像に供する。
【００２６】
定着部５は、所定の定着温度に加熱される加熱ローラ５ａと加熱ローラ５ａに圧接されている加圧ローラ５ｂを備え、作像部４から搬送されてくるトナー画像の形成されている転写紙２１、２３を搬送しつつ加熱・加圧して、トナー画像を転写紙２１、２３に定着させて、定着の完了した転写紙２１、２３を排紙部８に排出する。上記作像部４及び定着部５は、全体として画像記録手段として機能している。
【００２７】
原稿台９には、読取対象の原稿Ｇが載置され、原稿給紙部６は、原稿台９上に載置された原稿Ｇを読取部７に搬送し、また、読取部７で読み取りの完了した原稿Ｇを排紙部１０に排出する。
【００２８】
そして、上記読取部（読取手段）７は、原稿台９から原稿給紙部６により搬送される原稿Ｇに、光源から読み取り光を照射して原稿Ｇで反射された画情報を含む反射光を光電変換して、原稿Ｇの画像の濃淡と画像位置の情報をデジタル信号に変換し、デジタル画像データとして出力する。この読取部７は、後述するように、原稿Ｇに付与されている所定のマーカーを読み取り、読み取ったマーカー情報を出力する。
【００２９】
上記操作表示部１１は、デジタル複写装置１の動作を指示する各種操作キーが設けられているとともに、図２〜図４に示すように、タッチパネル付きディスプレイ３０を備え、このタッチパネル付きディスプレイ３０は、タッチパネル付きディスプレイ３０に表示されるタッチボタンの操作により各種モードに移行して、例えば、図２に示すマーカー読取オン／オフ設定モード画面３０ａの表示を行うとともに、当該モードで必要なタッチボタンの表示を行い、また、図３に示す自動用紙選択／用紙指定変倍設定モード画面３０ｂの表示を行うとともに、当該モードで必要なタッチボタンの表示を行い、さらに、図４に示す変倍基準設定モード画面３０ｃの表示を行うとともに、当該モードで必要なタッチボタンの表示を行う。
【００３０】
そして、デジタル複写装置１は、図５に示すようにブロック構成されており、上記給紙部３、作像部４、定着部５、原稿給紙部６、読取部７、排紙部８及び原稿排紙部１０を備えているとともに、システム制御部４１、画像処理部４２、原稿画像記憶部４３及びマーカー部記憶部４４等を備えている。
【００３１】
操作表示部１１は、上述のように、そのタッチパネル付きディスプレイ３０の表示モードによって、マーカー読取オン／オフ設定モード画面３０ａ、すなわち、マーカー読取オン／オフ（ＯＮ／ＯＦＦ）設定部３０ａ、自動用紙選択／用紙指定変倍設定モード画面３０ｂ（図示略）、及び変倍基準設定モード画面３０ｃ、すなわち、変倍基準設定部３０ｂを備えており、また、読取部７は、原稿Ｇに付与されているマーカー部分を検出して、当該マーカーでマーキングされている部分を検知するマーカー部分検知部７ａを備えている。
【００３２】
システム制御部（制御手段）４１は、例えば、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成され、ＲＯＭ内のプログラムに基づいて、ＣＰＵがＲＡＭをワークメモリとして利用しつつデジタル複写装置１の各部を制御して、デジタル複写装置１としての基本処理を実行するとともに、後述する用紙指定変倍処理及び自動用紙選択処理を制御する。
【００３３】
したがって、マーカー読取オン／オフ設定モード画面３０ａでの設定操作で後述する用紙指定変倍処理と自動用紙選択処理を行うか否かの設定を行うことができ、操作表示部１１のマーカー読取オン／オフ設定モード画面３０ａは、処理設定手段として機能する。また、自動用紙選択／用紙指定変倍設定モード画面３０ｂでの操作で、後述する自動用紙選択処理と用紙指定変倍処理のいずれかを選択することができる。さらに、変倍基準設定モード画面３０ｃでは、自動用紙選択／用紙指定変倍設定モード画面３０ｂで用紙指定変倍処理が選択された際に、マーカー部分画像を記録する転写紙２１、２３、２６のサイズを選択指定することができ、変倍基準設定モード画面３０ｃは、変倍率基準設定手段として機能する。
【００３４】
画像処理部（画像処理手段）４２は、システム制御部４１の制御下で、読取部７の読み取った原稿Ｇのデジタル画像データに対して、シェーディング補正等の画像品質を向上させる各種画像処理を行うとともに、画像の拡大・縮小処理及び後述するマーカー部分の画像の強調処理等の各種画像処理を行う。
【００３５】
原稿画像記憶部（画像記憶手段）４３は、大容量のＲＡＭ（Ｒａｎｄｏｍ  Ａｃｃｅｓｓ  Ｍｅｍｏｒｙ）やハードディスク等の大容量記憶媒体で構成され、画像データを記憶するとともに、マーカー部分画像記憶部４４を備えており、マーカー部分画像記憶部４４は、読取部７の読み取った原稿Ｇの画像データのうち、マーカー部分検知部７ａの検知したマーカーの付与された範囲の画像データを記憶する。
【００３６】
次に、本実施の形態の作用を説明する。本実施の形態のデジタル複写装置１は、変倍する部分を指定するマーカーの施された範囲の画像データを指定の転写紙２１、２３、２６の大きさに合わせて拡大・縮小し、また、マーカー部分画像の大きさに適したサイズの転写紙２１、２３、２６を自動選択して記録出力するところにその特徴がある。
【００３７】
すなわち、デジタル複写装置１のユーザは、操作表示部１１のタッチパネル付きディスプレイ３０をタッチ操作することで、図２に示すように、マーカー読取動作を行うか否かを選択設定するマーカー読取オン／オフ設定モード画面３０ａを選択表示させ、当該マーカー読取オン／オフ設定モード画面３０ａの「はい」、「いいえ」のタッチボタンを操作して、マーカー読取を行うか否かの設定を行う。また、ユーザは、操作表示部１１のタッチパネル付きディスプレイ３０をタッチの操作することで、図３に示す自動用紙選択／用紙指定変倍設定モード画面３０ｂを表示させて、自動用紙選択処理か、用紙指定変倍処理かの選択を行い、さらに、用紙指定変倍処理が選択すると、図４に示す変倍基準設定モード画面３０ｃを表示させて、変倍基準をＸ方向とＹ方向のいずれに設定するかの選択を行う。
【００３８】
そして、デジタル複写装置１は、操作表示部１１でタッチパネル付きディスプレイ３０がタッチ操作されて、マーカー読取オン／オフ設定モード画面３０ａが選択操作されると、図６に示すように、システム制御部４１が、当該マーカー読取オン／オフ設定モード画面３０ａの操作で、マーカー読取がオン設定されたかをチェックし（ステップＳ１０１）、マーカー読取がオン設定されていないときには、通常のコピー動作処理を行う（ステップＳ１０２）。すなわち、システム制御部４１は、原稿Ｇが原稿台９にセットされ操作表示部１１のスタートキーがオン操作されると、原稿給紙部６に原稿台９上の原稿Ｇを読取部７に搬送させ、読取部７が搬送される原稿Ｇの画像を読み取って、画像処理部４２に出力するとともに、読取部７で読み取りの完了した原稿Ｇを原稿給紙部６が排紙部１０に排出する。システム制御部４１は、画像処理部４２に必要な画像処理を施させて、作像部４に画像データを転送し、作像部４に当該原稿の画像データに基づいて、給紙部３から作像部４に搬送されてきた転写紙２１、２３、２６に画像を記録させて、画像の形成された転写紙２１、２３、２６を排紙部８に排出させる。
【００３９】
ステップＳ１０１で、マーカー読取がオン設定されていると、システム制御部４１は、自動用紙選択／用紙指定変倍設定モード画面３０ｂで、自動用紙選択が選択されたか、用紙指定変倍が選択されたかをチェックする（ステップＳ１０３）。このとき用紙指定変倍が選択されていると、上述のように、システム制御部４１は、タッチパネル付きディスプレイ３０に、変倍基準設定モード画面３０ｃを表示し、変倍基準設定モード画面３０ｃで、変倍基準をＸ方向とＹ方向のいずれにするかの設定が行われ、この設定内容を内部メモリに記憶する。
【００４０】
ステップＳ１０３で、自動用紙選択が選択されると、システム制御部４１は、原稿Ｇが原稿台９にセットされて、スタートキーが投入されるのを待って、原稿給紙部６にセットされた原稿台９上の原稿Ｇを読取部７に搬送させて、読取部７に原稿Ｇの読取を開始させ、マーカー部の画像に最も近い大きさの転写紙２１、２３、２６を選択して、当該選択した転写紙２１、２３、２６に作像部４で画像形成させる（ステップＳ１０４）。
【００４１】
この原稿Ｇには、図７の左側に示すように、マーカー部分画像となる画像部分が、ユーザにより所定のマーカーで円、楕円、矩形等の形状にマーキングされており、このマーカーは、例えば、特定の色、濃さ及び太さのものである。
【００４２】
そして、システム制御部４１は、読取部７に上記原稿Ｇの画像を読み取らせて、当該読取部７の読み取った画像データを画像処理部４２で必要な画像処理を施させた後、原稿画像記憶部４３に記憶させるとともに、マーカー部分検知部７に原稿Ｇのマーカー部分を検出させる。このとき、システム制御部４１は、特定の色、濃さ、太さの画像を検知すると、マーカーによるマーキング、すなわち、マーク部を検出したと判断して、図７に示すように、当該マーキング範囲の最大主走査幅Ｘ、最大副走査幅Ｙを画像処理部４２に検出させて、当該Ｘ、Ｙを辺とする矩形画像（図７の右側参照）をマーカー部分画像として抽出させて、当該マーカー部分画像をマーカー部分画像記憶部４４に記憶させる。
【００４３】
システム制御部４１は、マーカー部分画像が決定されると、当該マーカー部分画像のサイズに最も近いサイズの転写紙２１、２３、２６を決定して、給紙部３に当該決定したサイズの転写紙２１、２３、２６の搬送を開始させる（ステップＳ１０５）。システム制御部４１は、この転写紙２１、２３、２６の決定において、当該マーカー部分画像に最も近く、かつ、画像に欠けの発生しないサイズの転写紙２１、２３、２６を選択して決定する。そして、システム制御部４１は、マーカー部分画像記憶部４４に記憶されているマーカー部分画像データを作像部４に転送して、作像部４に給紙部３により搬送されてきた転写紙２１、２３、２６にマーカー部分画像を記録出力させる（ステップＳ１０６）。
【００４４】
また、ステップＳ１０３で、用紙指定変倍が選択されていると、システム制御部４１は、変倍基準をＸ方向またはＹ方向に設定し、原稿Ｇが原稿台９にセットされて、スタートキーが投入されるのを待って、原稿給紙部６にセットされた原稿台９上の原稿Ｇを読取部７に搬送させて、読取部７に原稿Ｇの読取を開始させ、マーカー部の画像サイズを確定するとともに、自動用紙選択／用紙指定変倍設定モード画面３０ｂで設定された転写紙２１、２３、２６の搬送を給紙部３に開始させる（ステップＳ１０７）。
【００４５】
すなわち、システム制御部４１は、用紙指定変倍が選択されているときには、変倍基準設定モード画面３０ｃで設定されて予め内部メモリに記憶した変倍基準に基づいて、原稿画像のマーク部の変倍基準をＸ方向またはＹ方向に設定し、原稿台９上に原稿Ｇがセットされてスタートキーが押下されると、原稿給紙部６に当該原稿Ｇを読取部７に搬送させて、読取部７に原稿Ｇの読取を開始させると同時に、自動用紙選択／用紙指定変倍設定モード画面３０ｂで選択された転写紙２１、２３、２６の搬送を給紙部３に開始させる。このとき、システム制御部４１は、読取部７のマーカー部分検知部７ａにマーカーによるマーキングの検出を行わせて、上述のように原稿Ｇの画像データからマーカー部分画像を画像処理部４２に抽出させ、抽出した画像データをマーカー部分画像としてマーカー部分画像記憶部４４に記憶させる。また、システム制御部４１は、このマーカー部分画像記憶部４４に記憶させたマーカー部分画像から当該マーカー部分画像サイズを確定する。
【００４６】
次に、システム制御部４１は、上記マーカー部分画像の変倍基準となる方向（Ｘ方向またはＹ方向）の長さと、自動用紙選択／用紙指定変倍設定モード画面３０ｂで選択された転写紙２１、２３、２６の同じ方向の長さと、の比に基づいて変倍率（倍率）を確定し（ステップＳ１０８）、当該確定した変倍率に基づいて、マーカー部分画像記憶部４４から読み出したマーカー部分画像データを画像処理部４２に変倍処理させて、当該変倍処理した画像を作像部４に転写紙２１、２３、２６に記録出力させる（ステップＳ１０９）。
【００４７】
このように、本実施の形態のデジタル複写装置１は、原稿Ｇに特定のマーカーで指定されたマーカー部分画像をマーカー部分検知部７ａで検出して、当該マーカー部分画像を原稿の画像データを記録する原稿画像記憶部４３から抽出してマーカー部分画像記憶部４４に記憶し、マーカー部分画像を記録出力する転写紙２１、２３、２６のサイズが操作表示部１１で選択されると、システム制御部４１が、当該選択された用紙サイズに合わせて画像処理部４２にマーカー部分画像記憶部４４に記憶されているマーカー部分画像を拡大・縮小させて作像部４４に当該用紙サイズの転写紙２１、２３、２６に記録出力させる用紙指定変倍処理を行っている。
【００４８】
したがって、原稿のマーカー部分画像を当該画像を記録する用紙のサイズに合わせて拡大・縮小することができ、ユーザが望む大きさで、マーカー部分画像を記録して、デジタル複写装置１の利用性を向上させることができる。
【００４９】
また、本実施の形態のデジタル複写装置１は、マーカー部分画像の拡大・縮小の変倍率を当該マーカー部分画像の主走査方向と副走査方向のいずれを基準とするかを設定する変倍率基準設定部３０ｃで設定された設定変倍率基準に基づいて、画像処理部４２が、マーカー部分画像の拡大・縮小を行っている。
【００５０】
したがって、ユーザがマーカー部分画像の拡大・縮小の基準を選択できるようにしてユーザの選択範囲を広げることができ、より一層ユーザが望む大きさで、マーカー部分画像を記録して、デジタル複写装置１の利用性をより一層向上させることができる。
【００５１】
さらに、本実施の形態のデジタル複写装置１は、原稿Ｇに特定のマーカーで指定されたマーカー部分画像をマーカー部分検知部７ａで検出して、当該マーカー部分画像を原稿の画像データを記録する原稿画像記憶部４３から抽出してマーカー部分画像記憶部４４に記憶すると、システム制御部４１が、当該マーカー部分画像の画像サイズに適した転写紙２１、２３、２６を給紙部３に選択させて作像部４に当該選択された転写紙２１、２３、２６に当該マーカー部分画像を記録出力させる自動用紙選択処理を行っている。
【００５２】
したがって、マーカー部分画像の大きさに最も適した転写紙２１、２３、２６を自動的に選択して、ユーザが転写紙２１、２３、２６を選択する手間を省くことができるとともに、ユーザが不適切な転写紙２１、２３、２６を選択することを防止することができ、デジタル複写装置１の利用性を向上させることができる。
【００５３】
また、本実施の形態のデジタル複写装置１は、用紙指定変倍処理または自動用紙選択処理を行うか否かを設定するマーカー読取ＯＮ／ＯＦＦ設定部３０ａの設定に応じて、システム制御部４１が、用紙指定変倍処理または自動用紙選択処理の実行を制御している。
【００５４】
したがって、ユーザの選択範囲を広げることができ、より一層ユーザの望む画像を得られるようにして、デジタル複写装置１の利用性をより一層向上させることができる。
【００５５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５６】
【発明の効果】
請求項１記載の発明の画像形成装置によれば、原稿に特定のマーカーで指定されたマーカー部分画像をマーカー部分検出手段で検出して、当該マーカー部分画像を原稿の画像データを記録する画像記憶手段から抽出してマーカー部分画像記憶手段に記憶し、マーカー部分画像を記録出力する用紙のサイズが用紙選択手段で選択されると、制御手段が、当該選択された用紙サイズに合わせて画像処理手段にマーカー部分画像記憶手段に記憶されているマーカー部分画像を拡大・縮小させて画像記録手段に当該用紙サイズの用紙に記録出力させる用紙指定変倍処理を行うので、原稿のマーカー部分画像を当該画像を記録する用紙のサイズに合わせて拡大・縮小することができ、ユーザが望む大きさで、マーカー部分画像を記録して、画像形成装置の利用性を向上させることができる。
【００５７】
請求項２記載の発明の画像形成装置によれば、マーカー部分画像の拡大・縮小の変倍率を当該マーカー部分画像の主走査方向と副走査方向のいずれを基準とするかを設定する変倍率基準設定手段で設定された設定変倍率基準に基づいて、画像処理手段が、マーカー部分画像の拡大・縮小を行うので、ユーザがマーカー部分画像の拡大・縮小の基準を選択できるようにしてユーザの選択範囲を広げることができ、より一層ユーザが望む大きさで、マーカー部分画像を記録して、画像形成装置の利用性をより一層向上させることができる。
【００５８】
請求項３記載の発明の画像形成装置によれば、原稿に特定のマーカーで指定されたマーカー部分画像をマーカー部分検出手段で検出して、当該マーカー部分画像を原稿の画像データを記録する画像記憶手段から抽出してマーカー部分画像記憶手段に記憶すると、制御手段が、当該マーカー部分画像の画像サイズに適した用紙を自動用紙選択手段に選択させて画像記録手段に当該選択された用紙に当該マーカー部分画像を記録出力させる自動用紙選択処理を行うので、マーカー部分画像の大きさに最も適した用紙を自動的に選択して、ユーザが用紙を選択する手間を省くことができるとともに、ユーザが不適切な用紙を選択することを防止することができ、画像形成装置の利用性を向上させることができる。
【００５９】
請求項４記載の発明の画像形成装置によれば、用紙指定変倍処理または自動用紙選択処理を行うか否かを設定する処理設定手段の設定に応じて、制御手段が、用紙指定変倍処理または自動用紙選択処理の実行を制御するので、ユーザの選択範囲を広げることができ、より一層ユーザの望む画像を得られるようにして、画像形成装置の利用性をより一層向上させることができる。
【図面の簡単な説明】
【図１】本発明の画像形成装置の一実施の形態を適用したデジタル複写装置の正面概略構成図。
【図２】図１の操作表示部のタッチパネル付きディスプレイのマーカー読取オン／オフ設定モード画面の一例を示す図。
【図３】図１の操作表示部のタッチパネル付きディスプレイの自動用紙選択／用紙指定変倍設定モード画面の一例を示す図。
【図４】図１の操作表示部のタッチパネル付きディスプレイの変倍基準設定モード画面の一例を示す図。
【図５】図１のデジタル複写装置のブロック構成図。
【図６】図６のデジタル複写装置による複写処理を示すフローチャート。
【図７】図６の複写処理で読み取られるマーキングの施されている原稿と読取画像の一例を示す図。
【符号の説明】
１  デジタル複写装置
２  本体筐体
３  給紙部
４  作像部
５  定着部
５ａ  加熱ローラ
５ｂ  加圧ローラ
６  原稿給紙部
７  読取部
７ａ  マーカー部分検知部
８  排紙部
９  原稿台
１０  原稿排紙部
１１  操作表示部
２１  ロール転写紙
２２  第１収納部
２３  カット転写紙
２４  第２収納部
２５  給紙機構
２６  転写紙
３０  タッチパネル付きディスプレイ
３０ａ  マーカー読取オン／オフ設定モード画面
３０ｂ  自動用紙選択／用紙指定変倍設定モード画面
３ｃ  変倍基準設定モード画面
４１  システム制御部
４２  画像処理部
４３  原稿画像記憶部
４４  マーカー部記憶部
【図１】
2004221898.tif 000003
【図２】
2004221898.tif 000004
【図３】
2004221898.tif 000005
【図４】
2004221898.tif 000006
【図５】
2004221898.tif 000007
【図６】
2004221898.tif 000008
【図７】
2004221898.tif 000009